(57)【要約】【課題】  連続的に撮影動作が繰り返し行われる場合においても、撮影タイミングに影響を与えることなく、プリント注文ファイルを良好に自動作成できるようにすること。【解決手段】  デジタルカメラ１は、撮影制御部５３とプリント設定処理部５５とを備える。撮影制御部５３は撮影指示に応答して撮影動作を制御し、プリント設定処理部５５はその撮影動作に連動して、メモリカード９０に記録される画像に対してプリント設定を自動的に行い、メモリカード９０にプリント注文ファイルを記録する。プリント設定処理部５５は、撮影制御部５３によって連続的に撮影動作が繰り返し行われる場合には、連続的な複数回の撮影動作が終了した後に、複数回の撮影動作によって取得された画像に対するプリント設定を行うように構成される。また、プリント設定処理部５５は、複数回の撮影動作によって得られる複数の画像ごとにプリント設定を行うように構成される。【選択図】図３
2005204258.tif 000002
【特許請求の範囲】
【請求項１】
撮影によって得られる画像を記録媒体に記録する撮像装置であって、
撮影指示に応答して撮影動作を制御する制御手段と、
撮影動作に連動して、前記記録媒体に記録される画像に対してプリント設定を行い、前記記録媒体にプリント注文ファイルを記録するプリント設定手段と、
を備え、
前記プリント設定手段は、前記制御手段によって連続的に撮影動作が繰り返し行われる場合には、連続的な複数回の撮影動作が終了した後に、複数回の撮影動作によって取得された画像に対するプリント設定を行うことを特徴とする撮像装置。
【請求項２】
請求項１に記載の撮像装置において、
連続的な複数回の撮影動作が終了した後に、複数回の撮影動作によって得られた複数の画像を表示する表示手段、
をさらに備え、
前記プリント設定手段は、前記表示手段に表示される複数の画像のうちから、前記記録媒体に記録する画像が決定されたことに応答して、記録が指定された画像についてのプリント設定を有効にし、前記記録媒体に前記プリント注文ファイルの記録を行うことを特徴とする撮像装置。
【請求項３】
請求項２に記載の撮像装置において、
前記制御手段は、連続的に撮影動作を繰り返し行う際、撮影条件を変化させつつ撮影動作を繰り返し行うように制御することを特徴とする撮像装置。
【請求項４】
請求項１に記載の撮像装置において、
前記制御手段によって連続的に撮影動作が繰り返し行われる場合に、複数回の撮影動作によって取得される複数の画像を合成することによって合成画像を生成する合成手段、
をさらに備え、
前記プリント設定手段は、前記合成画像に対するプリント設定を行うことを特徴とする撮像装置。
【請求項５】
撮影によって得られる画像を記録媒体に記録する撮像装置であって、
撮影指示に応答して撮影動作を制御する制御手段と、
撮影動作に連動して、前記記録媒体に記録される画像に対してプリント設定を行い、前記記録媒体にプリント注文ファイルを記録するプリント設定手段と、
を備え、
前記プリント設定手段は、前記制御手段によって連続的に繰り返し撮影動作が行われる場合には、複数回の撮影動作によって得られる複数の画像ごとにプリント設定を行っていくことを特徴とする撮像装置。
【請求項６】
請求項５に記載の撮像装置において、
前記プリント設定手段は、連続的な撮影動作の繰り返しの途中で撮影待機状態が発生した場合、前記撮影待機状態が発生するまでに取得された複数の画像に対してプリント設定を行うことを特徴とする撮像装置。
【発明の詳細な説明】
【技術分野】
【０００１】
本発明は、デジタルカメラ等の撮像装置に関し、特に撮影によって得られる画像をメモリカード等の記録媒体に記録するように構成される撮像装置に関する。
【背景技術】
【０００２】
従来、デジタルカメラにおいて、撮影した画像を自動印刷するために、ＤＰＯＦ（Digital Print Order Format）ファイル等とよばれるようなプリント注文ファイルを記録媒体に記録する技術が存在する（例えば、特許文献１）。
【０００３】
特許文献１のデジタルカメラでは、１コマごとの煩雑なプリント設定操作を解消するために、ユーザがプリント指定することを予めわかっている場合には、１コマの画像撮影が行われると、それに連動して、画像を自動的にプリント注文ファイルに追記することができるようになっている。
【０００４】
【特許文献１】特開２００２−４４５７７号公報
【発明の開示】
【発明が解決しようとする課題】
【０００５】
上記特許文献１のデジタルカメラでは、１コマの画像撮影が行われる都度、記録媒体に記録されたプリント注文ファイルを更新していくため、連写撮影やブラケット撮影等のように、一定時間間隔で連続的に撮影動作を繰り返すことが必要な場合に問題が発生する。すなわち、１コマの撮影動作を行うたびにプリント注文ファイルを更新していたのでは、ファイルの更新処理が負担になって、一定時間ごとに撮影動作を繰り返すことができなくなるという問題が発生する。そのため、従来のデジタルカメラでは、連写撮影やブラケット撮影等の連続撮影を行う場合であっても、ユーザが所望するタイミングで撮影動作を繰り返すことができない可能性があった。その結果、自動作成されたプリント注文ファイルに基づいて画像のプリントを行ったとしても、ユーザの所望するプリント画像を得ることができない場合が生じていた。
【０００６】
本発明は、上記課題を解決するためになされたものであり、連続的に撮影動作を繰り返す場合においても、１コマごとの煩雑なプリント設定操作を解消し、かつ、撮影タイミングに影響を与えることなく良好にプリント注文ファイルを作成することのできる撮像装置を提供することを、その目的とするものである。
【課題を解決するための手段】
【０００７】
本発明にかかる撮像装置は、撮影によって得られる画像を記録媒体に記録するように構成されており、撮影指示に応答して撮影動作を制御する制御手段と、撮影動作に連動して、前記記録媒体に記録される画像に対してプリント設定を行い、前記記録媒体にプリント注文ファイルを記録するプリント設定手段と、を備え、前記プリント設定手段が、前記制御手段によって連続的に撮影動作が繰り返し行われる場合には、連続的な複数回の撮影動作が終了した後に、複数回の撮影動作によって取得された画像に対するプリント設定を行うことを特徴とするものである。
【０００８】
この撮像装置は、連続的な複数回の撮影動作が終了した後に、複数回の撮影動作によって得られた複数の画像を表示する表示手段、をさらに備え、前記プリント設定手段は、前記表示手段に表示される複数の画像のうちから、前記記録媒体に記録する画像が決定されたことに応答して、記録が指定された画像についてのプリント設定を有効にし、前記記録媒体に前記プリント注文ファイルの記録を行うように構成されることが好ましい。
【０００９】
また、前記制御手段は、連続的に撮影動作を繰り返し行う際、撮影条件を変化させつつ撮影動作を繰り返し行うように制御することが好ましい。
【００１０】
また、上記の撮像装置は、前記制御手段によって連続的に撮影動作が繰り返し行われる場合に、複数回の撮影動作によって取得される複数の画像を合成することによって合成画像を生成する合成手段、をさらに備え、前記プリント設定手段が、前記合成画像に対するプリント設定を行うように構成されることが好ましい。
【００１１】
さらに、本発明にかかる撮像装置は、撮影によって得られる画像を記録媒体に記録するように構成されており、撮影指示に応答して撮影動作を制御する制御手段と、撮影動作に連動して、前記記録媒体に記録される画像に対してプリント設定を行い、前記記録媒体にプリント注文ファイルを記録するプリント設定手段と、を備え、前記プリント設定手段が、前記制御手段によって連続的に繰り返し撮影動作が行われる場合には、複数回の撮影動作によって得られる複数の画像ごとにプリント設定を行っていくことを特徴とするものである。
【００１２】
この撮像装置において、前記プリント設定手段は、連続的な撮影動作の繰り返しの途中で撮影待機状態が発生した場合、前記撮影待機状態が発生するまでに取得された複数の画像に対してプリント設定を行うことが、好ましい。
【発明の効果】
【００１３】
本発明にかかる撮像装置によれば、連続的に撮影動作が繰り返し行われる場合においても、１コマごとにプリント設定操作を行わなければならないという煩雑さ解消し、かつ、撮影タイミングに影響を与えることなく、良好にプリント注文ファイルを自動作成することができる。
【発明を実施するための最良の形態】
【００１４】
以下、本発明の実施の形態について図面を参照しつつ詳細に説明する。
【００１５】
＜構成概要＞
図１および図２は、本発明の実施形態に係るデジタルカメラ１の外観構成を示す図である。図１は正面側からみた概略斜視図であり、図２は背面側からみた概略斜視図である。図１および図２に示すように、デジタルカメラ１は、薄型の略直方体形状を有している。
【００１６】
図１に示すように、デジタルカメラ１は、その正面側に撮影レンズ２と光学ファインダ４とフラッシュ６とを備えている。撮影レンズ２は前方の被写体からの光を取り込むための光学系であり、光学ファインダ４は撮影操作時にフレーミングの状態を確認するための覗き窓である。フラッシュ６は撮影時に被写体を照明するための光源である。また、デジタルカメラ１は、その上面側に電源ボタン３とシャッタボタン（レリーズボタン）９とを備えている。電源ボタン３は、電源のオン操作およびオフ操作を受け付けるために用いられる。具体的には、電源ボタン３を押下するごとにオン状態への移行とオフ状態への移行とが交互に繰り返される。シャッタボタン９はユーザ（操作者）による半押し状態（以下、Ｓ１状態とも称する）と全押し状態（以下、Ｓ２状態とも称する）とを区別して検出可能な２段階押し込みスイッチとなっている。半押し状態Ｓ１のときには、デジタルカメラ１において被写体像を合焦状態に導くための自動合焦制御が開始され、全押し状態Ｓ２のときには、記録用画像を撮影するための本撮影動作が開始される。
【００１７】
また、図１に示すように、デジタルカメラ１は、その側面に開閉可能な蓋１４が設けられており、蓋１４を開いた状態とすることにより、半導体メモリ等の記憶素子を内蔵したメモリカード９０をデジタルカメラ１に装着することができるようになっている。つまり、メモリカード９０はデジタルカメラ１に着脱自在な記録媒体である。デジタルカメラ１は、メモリカード９０が装着されている状態で撮影動作を行うと、それによって得られる記録用の画像をメモリカード９０に格納する。なお、記録媒体は、メモリカードに限定されるものではなく、磁気ディスクカード等であっても構わない。
【００１８】
次に、図２に示すように、デジタルカメラ１は、その背面側に、撮影前の被写体像を表示するためのプレビュー表示（ライブビュー表示とも称する）、及び撮影動作によって得られる記録画像の再生表示等を行う液晶表示部（以下、ＬＣＤという。）５を備えている。このＬＣＤ５は、所定数（例えば３２０×２４０）の表示画素を有しており、カラー画像を表示することができる。
【００１９】
デジタルカメラ１は、電源がオンされた後や、記録用の画像を取得するための本撮影動作が完了した後、撮影モードにおいて例えば１／３０秒ごとに低解像度での撮影動作を繰り返し行い、それによって逐次得られる画像をライブビュー表示としてＬＣＤ５に動画的態様で表示する。これにより、ユーザは、ＬＣＤ５におけるライブビュー表示によって撮影画像における被写体の位置および大きさ等を知覚し、フレーミング操作を行うことができる。なお、ＬＣＤ５を用いることなく光学ファインダ４のみを用いてフレーミング操作を行うことも可能である。
【００２０】
また、デジタルカメラ１の背面側には、各種の操作を行うための操作部材として、ボタン群７，８と切替ボタン１１とプリントボタン１３とが設けられている。
【００２１】
ボタン群７は十字カーソルボタン７ａ〜７ｅ（以下では、７ａを上ボタン、７ｂを下ボタン、７ｃを左ボタン、７ｄを右ボタン、および７ｅを中央(実行)ボタンとも称する）で構成されており、例えばＬＣＤ５に表示されるメニュー画面等に対して選択操作や決定操作等を行う場合に用いられる。
【００２２】
ボタン群８はメニューボタン８ａと液晶モニタボタン８ｂとフラッシュモードボタン８ｃとを有している。
【００２３】
メニューボタン８ａは、ＬＣＤ５へのメニューの表示および非表示を切り替える機能を有している。例えば、各動作モードの初期画面においてメニューボタン８ａが押下されるごとに、メニュー画面と非メニュー画面（ライブビューあるいは再生画像等の表示画面）とが交互にＬＣＤ５に表示される。また、ＬＣＤ５に表示されたメニュー画面における表示カーソルは、十字カーソルボタン７ａ〜７ｄを用いて４方向に移動させることができる。さらに、所望の選択肢が選択された状態で実行(中央)ボタン７ｅを押下することによって、その選択肢に対応する設定動作等が実行される。このような操作によって、各種撮影パラメータの設定等を行うことが可能である。
【００２４】
液晶モニタボタン８ｂは、液晶モニタであるＬＣＤ５の表示・非表示を切り替えるためのボタンである。液晶モニタボタン８ｂが押下されるごとに、ＬＣＤ５に画像等が表示された状態（表示状態）と表示されない状態（非表示状態）とが交互に切り替わるようになっている。非表示状態にしておけば消費電力を低減できる。
【００２５】
フラッシュモードボタン８ｃは、フラッシュ６のモードを決定するためのボタンである。フラッシュモードボタン８ｃが押下されるごとに、自動発光、強制発光、発光禁止の順序でフラッシュモードが切り替わる。
【００２６】
切替ボタン１１は、デジタルカメラ１の動作モード等を切り替えるための操作部材である。ユーザは、切替ボタン１１を押下することにより、デジタルカメラ１の動作モードを撮影モードに設定したり、再生モードに設定することができる。撮影モードとは、写真撮影を行うモードであり、記録用の画像を取得してメモリカード９０に記録する動作を行う。再生モードとは、メモリカード９０に記録された撮影画像をＬＣＤ５に再生表示するモードである。本実施形態のデジタルカメラ１では、電源ボタン３の押下による電源オン時には撮影モードに設定されている。
【００２７】
プリントボタン１３は、デジタルカメラの動作モードをプリントモードに移行させるためのボタンである。プリントモードでは、ユーザがデジタルカメラ１に対する手動操作を行うことによって、既にメモリカード９０に記録された撮影画像に対してプリント設定を行うことができるようになる。ただし、デジタルカメラ１は、プリントモード時での手動操作によるプリント設定の他、撮影動作に連動して自動的にプリント設定を行うことができるようになっている。この場合、デジタルカメラ１には、記録用の画像を撮影するための撮影動作に連動して、その撮影動作によって取得される画像に対して自動的にプリント設定を行うことが予め設定されることになる。
【００２８】
次に、図３を参照しつつ、デジタルカメラ１の内部構成について説明する。図３は、デジタルカメラ１の内部機能を示すブロック図である。
【００２９】
デジタルカメラ１は、撮影モード時において、例えばシャッタボタン９が押下されたことによる撮影指示に応答して、記録用の画像を撮影するための撮影動作を行うように構成されている。このような撮影動作は、撮影レンズ２を介して入射する被写体像をＣＣＤ（撮像素子）２０において光電変換が行われることによって実現される。
【００３０】
ＣＣＤ（撮像素子）２０は、被写体像を撮影して電子的な画像信号を生成する撮像手段として機能するものであり、例えば１６００×１２００個の画素を有し、撮影レンズ２によって結像された被写体の光像を、画素毎にＲ（赤），Ｇ（緑），Ｂ（青）の色成分の画像信号（各画素で受光された画素信号の信号列からなる信号）に変換して出力する。
【００３１】
ＣＣＤ２０から得られる画像信号はアナログ信号処理回路２１に与えられ、アナログ信号処理回路２１において画像信号（アナログ信号）に対して所定のアナログ信号処理が施される。アナログ信号処理回路２１は相関二重サンプリング回路（ＣＤＳ）とオートゲインコントロール回路（ＡＧＣ）とを有しており、相関二重サンプリング回路により画像信号のノイズ低減処理を行い、オートゲインコントロール回路でゲインを調整することにより画像信号のレベル調整を行う。
【００３２】
Ａ／Ｄ変換器２２は、画像信号の各画素信号を１２ビットのデジタル信号に変換するものである。変換後のデジタル信号は、画像データとして一時的にＲＡＭ５０ａ内のバッファメモリ５４に格納される。そして、バッファメモリ５４に保存された画像データに対して、画像処理部５１による、ＷＢ（ホワイトバランス）処理、γ補正処理、および色補正処理等が施された後、圧縮／伸張部５２による圧縮処理等が施される。なお、ＲＡＭ５０ａのバッファメモリ５４には、連写撮影に対応すべく複数の画像データを記憶することができるようになっている。
【００３３】
操作部３０は、上述した電源ボタン３、ボタン群７、８、シャッタボタン９、切替ボタン１１等を含む操作部であり、ユーザがデジタルカメラ１の設定状態を変更操作する際や撮影操作を行う際等に用いられる。
【００３４】
全体制御部５０は、内部にＲＡＭ５０ａ及びＲＯＭ５０ｂを備えたマイクロコンピュータによって構成され、マイクロコンピュータが所定のプログラムを実行することにより、上記各部を統括的に制御する。なお、ＲＡＭ５０ａは、高速アクセス可能な半導体メモリ（たとえばＤＲＡＭ）であり、ＲＯＭ５０ｂは電気的にデータの書き換えが可能な不揮発性の半導体メモリ（たとえばフラッシュＲＯＭ）として構成される。また、ＲＡＭ５０ａ内における一部の領域は、一時記憶用のバッファエリアとして機能する。ここでは、このバッファエリアをバッファメモリ５４と称するものとする。バッファメモリ５４は、画像データ等を一時的に記憶する。
【００３５】
全体制御部５０は、画像処理部５１、圧縮／伸張部５２、撮影制御部５３およびプリント設定処理部５５として機能する。これらの各処理部５１，５２，５３，５５は、マイクロコンピュータが所定のプログラムを実行することにより実現される機能部である。
【００３６】
画像処理部５１は、ＷＢ処理、γ補正処理等の各種のデジタル画像処理を施す処理部である。ＷＢ処理は、Ｒ，Ｇ，Ｂの各色成分のレベル変換を行い、カラーバランスを調整する処理であり、γ補正処理は、画素データの階調を補正する処理である。また、画像処理部５１は、後述する画像合成処理を実行する処理部である。
【００３７】
圧縮／伸張部５２は、画像データの圧縮処理および伸張処理を行う処理部である。たとえば、記録用画像をメモリカード９０に記録する際には圧縮処理が実行され、メモリカード９０に記録されている画像を再生表示する際には伸張処理が実行される。圧縮方式としては、例えばＪＰＥＧ方式などが採用される。
【００３８】
撮影制御部５３は、撮影モード時において、ＣＣＤ２０、アナログ信号処理回路２１およびＡ／Ｄ変換器２２を制御することにより、デジタルカメラ１における撮影動作を制御するものである。撮影モード時においては、撮影指示に応答して実行される撮影動作として、１コマ撮影動作と連続撮影動作がある。１コマ撮影動作は、撮影指示に応答して１回の撮影動作を行い、１コマ（１フレーム）の撮影画像を取得するための撮影動作である。連続撮影動作は、撮影指示に応答して連続的に撮影動作を複数回繰り返し行い、複数コマの撮影画像を取得するための撮影動作である。このため、撮影制御部５３は、１コマ撮影が設定されている場合には、撮影指示に応答して１回の撮影動作を行うように各部を制御する一方、連続撮影動作が設定されている場合には、撮影指示に応答して複数回の撮影動作を繰り返し行うように各部を制御する。また、連続撮影動作には、連写撮影と、ブラケット撮影とがあり、撮影制御部５３は連写撮影及びブラケット撮影のうちから選択された連続撮影動作を実現するように各部を制御する。なお、連写撮影とは、シャッタスピード等の撮影条件を固定したままで、一定時間ごとに撮影動作を繰り返す撮影動作であり、ブラケット撮影とは、撮影条件を変化させつつ一定時間ごとに撮影動作を繰り返すことにより、異なる撮影条件で撮影された複数の画像を取得するための撮影動作である。また、撮影指示が連続的に与えられることによって１コマ撮影動作が繰り返され、その結果、デジタルカメラ１において連続撮影動作が行われることもある。
【００３９】
図４は、撮影モード時におけるデジタルカメラ１の状態遷移の一例を示す図である。デジタルカメラ１の電源がオンになると、１コマ撮影モードＧＮ１に移行する。１コマ撮影モードＧＮ１は、撮影指示に応答して１コマの画像を撮影するモードであり、撮影動作に連動して生成される１コマの記録用画像は自動的にメモリカード９０に記録される。そして、１コマ撮影モードＧＮ１のときに、ユーザがメニューボタン８ａを押下すると、ＬＣＤ５に対して、撮影動作に関する各種設定を行うための撮影メニュー表示ＧＮ２が表示される状態に移行する。撮影メニュー表示ＧＮ２においては、ブラケット撮影や、複数の画像を撮影した後にそれら複数の画像の合成処理を行う画像合成処理を選択することができるようになっている。また、撮影メニュー表示ＧＮ２では、撮影動作によって取得される画像に対して自動的にプリント設定を行うための自動プリント設定機能をオン／オフすることもできるようになっている。
【００４０】
そして撮影メニュー表示ＧＮ２において、ユーザがブラケット撮影を選択し、決定操作を行うと、デジタルカメラ１はブラケット撮影モードＧＮ３に移行する。ブラケット撮影モードＧＮ３では、ユーザがシャッタボタン９の全押し操作を行って撮影指示を与えると、その撮影指示に応答して、例えばシャッタスピードを変化させつつ一定時間ごとに撮影動作が複数回繰り返され、異なる撮影条件で撮影された複数の画像が取得される。このブラケット撮影モードＧＮ３において、ユーザがメニューボタン８ａを押下すれば、再び撮影メニュー表示ＧＮ２に移行する。そしてブラケット撮影の選択状態を解除して決定操作を行えば１コマ撮影モードＧＮ１に戻る。また、自動プリント設定機能をオンにして決定操作を行えば、ブラケット撮影モードＧＮ３に戻って、ブラケット撮影の後、自動的にプリント設定を行う処理が実行されるようになる。
【００４１】
また撮影メニュー表示ＧＮ２において、ユーザが画像合成処理を選択し、決定操作を行うと、デジタルカメラ１は１コマ撮影モードの画像合成処理モードＧＮ４に移行する。画像合成処理モードＧＮ４では、ユーザがシャッタボタン９の全押し操作を複数回行って複数の撮影画像を取得する。例えば２フレーム分の画像合成が設定されている場合には、２回の撮影操作が行われ、デジタルカメラ１のＲＡＭ５０ａに２フレーム分の撮影画像が格納される。そして所定回数の撮影終了後、自動的に画像処理部５１が機能し、ＲＡＭ５０ａに格納された２フレーム分の撮影画像を所定の合成条件に基づいて合成することにより、１フレームの記録用画像を生成する。このような処理が行われることにより、例えば視野範囲を水平方向に移動させた２フレームの画像からパノラマ画像を生成するなどの合成画像を生成することができ、その合成画像をメモリカード９０に記録することができる。
【００４２】
このような画像合成処理モードＧＮ４において、ユーザがメニューボタン８ａを押下すれば、再び撮影メニュー表示ＧＮ２に移行する。そして画像合成処理の選択状態を解除して決定操作を行えば１コマ撮影モードＧＮ１に戻る。また、自動プリント設定機能をオンにして決定操作を行えば、画像合成処理モードＧＮ４に戻って、画像合成処理を行った後、生成された合成画像に対して自動的にプリント設定を行う処理が実行されるようになる。
【００４３】
デジタルカメラ１は、１コマ撮影モードＧＮ１、ブラケット撮影モードＧＮ３及び画像合成処理モードＧＮ４のいずれの状態にあるときでも、ユーザが切替ボタン１１を押下すると、それに応答して連写撮影モードＧＮ５に移行する。連写撮影モードＧＮ５では、ユーザがシャッタボタン９の全押し操作を行って撮影指示を与えると、その撮影指示に応答して撮影動作を開始し、シャッタボタン９が全押しされている間は、予め設定された時間間隔で撮影動作が複数回繰り返し行われ、異なるタイミングで撮影された複数の画像が取得される。
【００４４】
連写撮影モードＧＮ５において、ユーザがメニューボタン８ａを押下すれば、撮影メニュー表示ＧＮ６に移行する。撮影メニュー表示ＧＮ６では、撮影動作によって取得される複数の画像に対して自動的にプリント設定を行うための自動プリント設定機能をオン／オフすることができるようになっている。撮影メニュー表示ＧＮ６において、ユーザが自動プリント設定機能をオンにし、決定操作を行うと、連写撮影モードＧＮ５に戻り、連写撮影によって得られる複数の画像に対して自動的にプリント設定が行われるようになる。
【００４５】
なお、連写撮影モードＧＮ５において、ユーザが切替ボタン１１を押下すると、デジタルカメラ１の動作モードは撮影モードから再生モードに移行する。その再生モードにおいて、さらに切替ボタン１１が押下されると、電源オン時と同様に、１コマ撮影モードＧＮ１に戻ってくる。
【００４６】
図３に戻り、プリント設定処理部５５は、メモリカード９０に記録される画像に対してプリント設定を行い、メモリカード９０にプリント注文ファイルを書き込んだり、又はプリント注文ファイルを更新するための処理部である。例えば、プリントモード時において、ユーザが手動操作でメモリカード９０に記録された画像に対してプリント設定を指示する場合、プリント設定処理部５５はユーザからの入力指示に基づいてプリント設定処理を実行し、メモリカード９０にプリント注文ファイルを書き込む。また、撮影モード時において自動プリント設定機能がオンにされている場合、プリント設定処理部５５は、撮影制御部５３による撮影動作に連動して機能し、ＲＡＭ５０ａに格納された撮影画像がメモリカード９０に記録されることに連動して、メモリカード９０に記録された記録画像（撮影画像）に対するプリント設定を自動的に実行し、メモリカード９０にプリント注文ファイルを書き込む。なお、プリント注文ファイルとは、いわゆるＤＰＯＦファイル等と同様のファイルであり、メモリカード９０に記録された個々の画像に対するプリント設定情報を格納するファイルである。
【００４７】
図５は、メモリカード９０におけるデータ格納状態の一例を示す図である。メモリカード９０には、撮影画像フォルダＦａと、プリント注文ファイル用のフォルダＦｂとが作成される。撮影画像フォルダＦａには、撮影動作によって取得される複数の画像ファイルＧｆが格納され、撮影画像フォルダＦａと異なるフォルダＦｂには、プリント注文ファイルＰｆが格納される。プリント注文ファイルＰｆは、例えば図６に示すように、一般情報Ｄｆ１、ユーザー情報Ｄｆ２、プリントジョブ情報Ｄｆ３、画像ソース情報Ｄｆ４、各種設定情報Ｄｆ５およびベンダー情報Ｄｆ６で構成されている。ここで、ベンダー情報Ｄｆ６とは、デジタルカメラを製造するメーカー各社で独自に定義される情報である。このようなプリント注文ファイルＰｆをメモリカード９０に記録しておくことにより、メモリカード９０に記録された画像のプリント処理を行うときには、プリント注文ファイルＰｆの内容を分析することにより、メモリカード９０に記録された任意の画像の自動プリントを行うことが可能になる。
【００４８】
以上のような全体制御部５０によって、デジタルカメラ１が撮影モード、再生モードおよびプリントモードの各動作モードにあるときの内部処理が実現される。
【００４９】
例えば、撮影モードにおいて、ライブビュー表示が行われるときには、比較的簡易な撮影動作として、ＣＣＤ２０の解像度が低解像度に設定され、ライブビュー表示のための撮影動作が繰り返される。そしてシャッタボタン９が半押し（Ｓ１状態）されると、ＣＣＤ２０から出力される画像データに基づき自動合焦制御（ＡＦ）のためのＡＦ評価値を求め、周知の山登り方式によって合焦位置に撮影レンズを移動させる。また、ＣＣＤ２０で読みとった被写体の輝度情報に基づいて、本撮影動作時のシャッタスピード（ＳＳ）と絞りの値を求め、自動露出制御（ＡＥ）を行うとともに、ホワイトバランスを調整するためのゲイン設定値を決定してオートホワイトバランス制御（ＡＷＢ）を行う。
【００５０】
その後、シャッタボタンが全押し（Ｓ２状態）されると、全体制御部５０は、ＣＣＤ２０の解像度を高解像度に設定した後に記録用画像を取得するための撮影動作を行い、ＣＣＤ２０で取得された撮影画像データに基づき圧縮／伸張部５２で圧縮画像を生成する。そして、圧縮された高解像度の画像データは、メモリカード９０に記録されることとなる。
【００５１】
また、切替ボタン１１の押下によって撮影モードから再生モードに移行すると、全体制御部５０は、メモリカード９０内で最も大きなコマ番号の画像、つまり直近に撮影された画像のデータを読み出して、圧縮／伸張部５２でデータ伸張を行い、ＬＣＤ５に画像表示を行う。この再生モードでは、左ボタン７ｃ・右ボタン７ｄの押下によりコマの送り・戻しが可能である。
【００５２】
つぎにカードインタフェース（カードＩ／Ｆ）６０は、デジタルカメラ１側面の挿入装着部に対して装着されるメモリカード９０への画像データの書込み及び読出しを行うためのインタフェースである。全体制御部５０がメモリカード９０に対する画像データの読み書きを行う時には、圧縮／伸張部５２において例えばＪＰＥＧ方式で画像データの圧縮処理又は伸張処理が行われ、カードインタフェース６０を介して画像データがバッファメモリ５４とメモリカード９０との間で送受信される。
【００５３】
デジタルカメラ１は、カードインタフェース６０を用いて、画像データを送受信するだけでなく、デジタルカメラ１で動作するプログラムを取り込むことも可能である。たとえば、メモリカード９０に記録される制御プログラムを、全体制御部５０のＲＡＭ５０ａ又はＲＯＭ５０ｂ内に取り込むことができる。これにより、全体制御部５０で実行される制御プログラムを更新することなどが可能である。
【００５４】
＜自動プリント設定＞
次に、撮影動作に連動した自動プリント設定について説明する。図７乃至図１４は撮影動作に連動して自動プリント設定を行うための処理手順を示すフローチャートであり、特に図７は図４の１コマ撮影モードＧＮ１における処理手順を示すフローチャートであり、図８はプリント注文ファイル作成処理の処理手順を示すフローチャートである。また、図９及び図１０は、図４のブラケット撮影モードＧＮ３における処理手順を示すフローチャートであり、図１１及び図１２は画像合成処理モードＧＮ４における処理手順を示すフローチャートであり、図１３及び図１４は連写撮影モードＧＮ５における処理手順を示すフローチャートである。なお、いずれのモードにおいても、撮影メニュー表示ＧＮ２又はＧＮ６で予め自動プリント設定機能がオンに設定されているものとする。
【００５５】
まず、１コマ撮影モードＧＮ１の場合について説明する。図７に示すように、１コマ撮影モードＧＮ１に移行すると、ＬＣＤ５にライブビュー表示が行われる（ステップＳ１００）。ユーザは、この状態でフレーミングを行い、所望のタイミングでシャッタボタン９を半押し操作する。デジタルカメラ１では、シャッタボタン９が半押し状態とされたことに応答して、全体制御部５０がＡＦ、ＡＥ、ＡＷＢの各処理を実行し、ユーザがシャッタボタン９の全押し操作を行うのを待機する（ステップＳ１０２）。そしてシャッタボタン９が全押し状態にされると、ＣＣＤ２０の露光を開始して、記録用画像を取得するための撮影動作を行う（ステップＳ１０４）。撮影動作によって取得された画像データはＲＡＭ５０ａに格納され（ステップＳ１０６）、メモリカード９０への記録処理が行われる（ステップＳ１０８）。そして記録処理に連動して記録された画像に対するプリント設定が自動的に行われ（ステップＳ１１０）、プリント注文ファイル作成処理が実行される（ステップＳ１１２）。
【００５６】
プリント注文ファイル作成処理では、図８に示すように、メモリカード９０に既にプリント注文ファイルＰｆが記録されているか否かが判断され（ステップＳ１２１）、記録されている場合には、あらたにメモリカード９０に記録された画像に対するプリント設定を追記することによりプリント注文ファイルＰｆを更新する処理が行われる（ステップＳ１２２）。一方、メモリカード９０に未だプリント注文ファイルＰｆが記録されていない場合には、メモリカード９０に記録された画像に対してプリント設定を自動的に行い、そのプリント設定を記述したプリント注文ファイルＰｆを新規に作成してメモリカード９０に記録する処理が行われる（ステップＳ１２３）。
【００５７】
なお、図７のプリント注文ファイル作成処理（ステップＳ１１２）が終了した後は、再びステップＳ１００に戻り、次の撮影に備えるためのライブビュー表示が再開される。
【００５８】
以上のような処理により、１コマ撮影モードＧＮ１では、撮影指示に応答した撮影動作によって、１コマの撮影画像が取得されてメモリカード９０に記録されるとともに、その１コマの画像に対するプリント設定が自動的に行われてプリント注文ファイルＰｆがメモリカード９０に記録される。したがって、ユーザは撮影操作を行った後に、デジタルカメラ１をプリントモードに移行させて画像ごとに煩雑なプリント設定操作を行う必要がなく、操作性が向上する。
【００５９】
次に、ブラケット撮影モードＧＮ３の場合について説明する。図９に示すように、ブラケット撮影モードＧＮ３に移行すると、ＬＣＤ５にライブビュー表示が行われる（ステップＳ２００）。ユーザは、この状態でフレーミングを行い、所望のタイミングでシャッタボタン９を半押し操作する。デジタルカメラ１では、シャッタボタン９が半押し状態とされたことに応答して、全体制御部５０がＡＦ、ＡＥ、ＡＷＢの各処理を実行する（ステップＳ２０２）。このステップＳ２０２の処理では、ＡＥ処理によって、適正露出を実現するためのシャッタスピードＳＳが求められる。
【００６０】
そしてシャッタボタン９が全押し状態にされると、第１の撮影条件として例えばシャッタスピードＳＳを適正値から１段階ダウンさせ（ステップＳ２０４）、ＣＣＤ２０の露光を開始して、１回目の撮影動作を行う（ステップＳ２０６）。このとき取得される画像データはＲＡＭ５０ａに格納される（ステップＳ２０８）。
【００６１】
続いて、第２の撮影条件としてシャッタスピードＳＳを適正値に設定し（ステップＳ２１０）、ＣＣＤ２０の露光を開始して、２回目の撮影動作を行う（ステップＳ２１２）。このとき取得される画像データもＲＡＭ５０ａに格納される（ステップＳ２１４）。
【００６２】
さらに続いて、第３の撮影条件としてシャッタスピードＳＳを適正値よりも１段階アップさせ（ステップＳ２１６）、ＣＣＤ２０の露光を開始して、３回目の撮影動作を行う（ステップＳ２１８）。このとき取得される画像データもＲＡＭ５０ａに格納される（ステップＳ２２０）。
【００６３】
このようにブラケット撮影では、撮影指示に応答して撮影条件を変更させつつ、複数回の撮影動作が連続的に繰り返される。なお、図９では、シャッタスピードＳＳを変化させつつ、３回の撮影動作を行う場合を例示したが、シャッタスピード以外の撮影条件を変化させるようにしてもよいし、撮影回数を４回以上に設定してもよい。
【００６４】
予め定められた撮影回数分の撮影動作が終了すると、図１０のフローチャートに進み、ＬＣＤ５に対してアフタービュー表示が行われる（ステップＳ２２２）。図１５はブラケット撮影モードにおけるアフタービュー表示の一例を示す図である。図１５に示すように、アフタービュー表示では、ＬＣＤ５に対して、ＲＡＭ５０ａに格納された３コマの撮影画像が表示される。一般にブラケット撮影は、撮影条件を変化させつつ複数回の撮影を行い、撮影条件の異なる複数の画像のうちから、メモリカード９０に記録する画像を撮影後に選択するという撮影手法である。そのため、ステップＳ２２２のアフタービュー表示では、記録すべき画像の選択操作が行われることになる。具体的には、ボタン群７を操作することによって選択画像を示す太枠表示を任意の画像に移動させ、記録すべき画像に太枠が付されている状態で、選択機能が割り当てられた液晶モニタボタン８ｂを押下することで選択操作が行われる。
【００６５】
アフタービュー表示で選択操作が行われると、全体制御部５０は記録しない画像をＲＡＭ５０ａから削除する（ステップＳ２２４）。そして選択された記録すべき画像をメモリカード９０に記録するための処理を行う（ステップＳ２２６）。その後、全体制御部５０ではプリント設定処理部５５が機能し、ステップＳ２２６で記録された画像に対して自動的にプリント設定を行い、メモリカード９０に対するプリント注文ファイル作成処理を実行する（ステップＳ２２８）。なお、ステップＳ２２８におけるプリント注文ファイル作成処理の詳細は、図８のフローチャートと同様である。
【００６６】
図１０のプリント注文ファイル作成処理（ステップＳ２２８）が終了した後は、再び図９のステップＳ２００に戻り、次の撮影に備えるためのライブビュー表示が再開される。
【００６７】
以上のような処理により、ブラケット撮影モードＧＮ３では、撮影指示に応答して、撮影動作が複数回繰り返される。そして全ての撮影動作が終了した後、記録すべき画像が選択されると、その選択画像に対するプリント設定が自動的に行われてプリント注文ファイルＰｆがメモリカード９０に記録される。したがって、ユーザは記録すべき画像の選択を行った後、あらためてプリント設定操作を行う必要がなく、操作性が向上する。また、自動的に行われるプリント設定処理は、全ての撮影動作が終了した後に行われるので、プリント設定処理が撮影動作の進行を妨げることはなく、ブラケット撮影において撮影タイミングが大きくずれることを抑制している。
【００６８】
次に、画像合成処理モードＧＮ４の場合について説明する。なお、以下の画像合成処理モードＧＮ４では、２フレーム分の画像を合成する場合を例示する。
【００６９】
図１１に示すように、画像合成処理モードＧＮ４に移行すると、ＬＣＤ５にライブビュー表示が行われる（ステップＳ３００）。ユーザは、この状態で１回目のフレーミングを行い、所望のタイミングでシャッタボタン９を半押し操作する。デジタルカメラ１では、シャッタボタン９が半押し状態とされたことに応答して、全体制御部５０がＡＦ、ＡＥ、ＡＷＢの各処理を実行し、ユーザがシャッタボタン９の全押し操作を行うのを待機する（ステップＳ３０２）。そしてシャッタボタン９が全押し状態にされると、ＣＣＤ２０の露光を開始して、第１の合成対象となる画像を取得するための１回目の撮影動作を行う（ステップＳ３０４）。１回目の撮影動作によって取得された画像データはＲＡＭ５０ａに格納される（ステップＳ３０６）。
【００７０】
そして再びＬＣＤ５にライブビュー表示が行われる（ステップＳ３０８）。ユーザは、この状態で２回目のフレーミングを行い、所望のタイミングでシャッタボタン９を半押し操作する。デジタルカメラ１では、シャッタボタン９が半押し状態とされたことに応答して、全体制御部５０がＡＦ、ＡＥ、ＡＷＢの各処理を実行し、ユーザがシャッタボタン９の全押し操作を行うのを待機する（ステップＳ３１０）。そしてシャッタボタン９が全押し状態にされると、第２の合成対象となる画像を取得するための２回目の撮影動作を行う（ステップＳ３１２）。２回目の撮影動作によって取得された画像データもまたＲＡＭ５０ａに格納される（ステップＳ３１４）。
【００７１】
第１及び第２の撮影動作が終了して、ＲＡＭ５０ａに２フレーム分の画像が格納されると、図１０のフローチャートに進む。全体制御部５０では画像処理部５１が機能し、ＲＡＭ５０ａに格納された２フレームの画像を合成することにより、パノラマ画像などの合成画像を生成する（ステップＳ３１６）。そして生成された合成画像をメモリカード９０に記録するための処理を行う（ステップＳ３１８）。尚、パノラマ合成処理の操作や処理手順は周知なので、ここでの説明は省略する。
【００７２】
その後、全体制御部５０ではプリント設定処理部５５が機能し、ステップＳ３１８で記録された合成画像に対して自動的にプリント設定を行い（ステップＳ３２０）、メモリカード９０に対するプリント注文ファイル作成処理を実行する（ステップＳ３２２）。なお、ステップＳ３２２におけるプリント注文ファイル作成処理の詳細は、図８のフローチャートと同様である。
【００７３】
図１２のプリント注文ファイル作成処理（ステップＳ３２２）が終了した後は、再び図１１のステップＳ３００に戻り、次の撮影に備えるためのライブビュー表示が再開される。
【００７４】
以上のような処理により、画像合成処理モードＧＮ４では、ユーザからの撮影指示が繰り返し与えられ、それぞれの撮影指示に応答して撮影動作が繰り返される。そして全ての撮影動作が終了した後、画像合成処理が行われて、記録すべき合成画像が生成されるようになっている。そして合成画像が生成されると、それに応答して、合成画像に対するプリント設定を自動的に行い、プリント注文ファイルＰｆをメモリカード９０に記録するように実現されている。したがって、ユーザは複数回の撮影指示を行った後に、あらためてプリント設定操作を行う必要がなく、操作性が向上する。また、自動的に行われるプリント設定処理は、全ての撮影動作が終了した後に行われるので、プリント設定処理が撮影動作の妨げることはない。
【００７５】
次に、連写撮影モードＧＮ５の場合について説明する。なお、連写撮影モードでは、撮影終了後、アフタービュー表示により、連写撮影で得られた複数の画像のうちから自動プリント設定を行う画像を選択操作する場合と、アフタービュー表示を行わず、連写撮影で得られた複数の画像の全てに対してプリント設定を行う場合とがあり、以下に説明する図１３及び図１４のフローチャートでは、アフタービュー設定の有無を判断してそれぞれに適した自動プリント設定が行われる場合を例示している。
【００７６】
図１３に示すように、連写撮影モードＧＮ５に移行すると、ＬＣＤ５にライブビュー表示が行われる（ステップＳ４００）。ユーザは、この状態でフレーミングを行い、所望のタイミングでシャッタボタン９を半押し操作する。デジタルカメラ１では、シャッタボタン９が半押し状態とされたことに応答して、全体制御部５０がＡＦ、ＡＥ、ＡＷＢの各処理を実行し、ユーザがシャッタボタン９の全押し操作を行うのを待機する（ステップＳ４０２）。そしてシャッタボタン９が全押し状態にされると、ＣＣＤ２０の露光を開始して、画像を取得するための撮影動作を行う（ステップＳ４０４）。この撮影動作によって取得された画像データは一時的にＲＡＭ５０ａに格納される（ステップＳ４０６）。
【００７７】
取得された画像データの格納処理を終了すると、全体制御部５０はシャッタボタン９が全押しされたままの状態であるか否かを判断し（ステップＳ４０８）、全押し状態が継続されていればステップＳ４１０に進む。
【００７８】
ステップＳ４１０では、連写撮影によって取得される画像データによってＲＡＭ５０ａ内のバッファメモリ５４の記憶可能な領域が一杯になったか否かが判断される。例えば、バッファメモリ５４に１フレーム分の画像を記憶可能な領域が存在するなら「Ｎｏ」と判断され、１フレーム分の画像を記憶するだけの領域が存在しないなら「Ｙｅｓ」と判断される。そしてバッファメモリ５４に次の画像を記憶するだけの容量が残されている場合（ステップＳ４１０で「Ｎｏ」の場合）には、再びステップＳ４０４に戻って、次の撮影動作を行う。すなわち、シャッタボタン９の全押しが継続されており、かつバッファメモリ５４の残り記憶容量が十分に存在する場合には、ステップＳ４０４，Ｓ４０６，Ｓ４０８，Ｓ４１０の処理が繰り返し実行され、ＲＡＭ５０ａに対して順次取得される画像が蓄積されていくことになる。
【００７９】
そしてステップＳ４０４，Ｓ４０６，Ｓ４０８，Ｓ４１０の繰り返し処理の継続中に、シャッタボタン９の全押し操作が解除された場合には、ステップＳ４０８において「Ｎｏ」と判断され、連写撮影のための連続的な撮影動作の繰り返しが停止され、ステップＳ４１８に進む。ステップＳ４１８では、それまでの連写撮影によってＲＡＭ５０ａに蓄積された画像をメモリカード９０に記録するための記録処理が行われる。
【００８０】
一方、シャッタボタン９の全押し操作が継続され、ＲＡＭ５０ａの残り記憶容量が不足することになった場合には、ステップＳ４１０において「Ｙｅｓ」と判断され、ステップＳ４１２に進んで、それまでの連写撮影によってＲＡＭ５０ａに蓄積された複数の画像をメモリカード９０に記録するための記録処理が開始される。そしてシャッタボタン９の全押しが継続されているか否かを判断し（ステップＳ４１４）、継続されている場合には、ステップＳ４１２で開始した記録処理と並列的に、メモリカード９０に記録される画像に対してプリント設定処理を行う（ステップＳ４１６）。
【００８１】
ステップＳ４１２の記録処理は、連写撮影を継続するために、ＲＡＭ５０ａに空き領域を作成するための処理であり、記録処理によってメモリカード９０への記録が終了すれば、その画像はＲＡＭ５０ａから消去される。プリント設定処理（ステップＳ４１６）は、その記録処理（ステップＳ４１２）と並列的に実行されることにより、メモリカード９０に記録される画像に対して自動的にプリント設定が行われる。このプリント設定処理は、記録処理（ステップＳ４１２）のバックグランドで行われ、記録処理が終了した場合には、それに応答してプリント設定処理も終了する。
【００８２】
そして記録処理（ステップＳ４１２）とプリント設定処理（ステップＳ４１６）とが終了すると、ステップＳ４１０に戻る。この時点ではＲＡＭ５０ａに空きができているので、ステップＳ４１０では「Ｎｏ」と判断され、ステップＳ４０４に戻って、次の撮影動作が行われる。
【００８３】
このように連写撮影では、シャッタボタン９が全押し操作されている間、撮影動作が繰り返されるため、連続的な撮影動作の繰り返しによってＲＡＭ５０ａ内のバッファメモリ５４がフルになる可能性があり、ＲＡＭ５０ａ内のバッファメモリ５４がフルになってしまうと、次の撮影画像を格納することができなくなることから、ＲＡＭ５０ａ内のバッファメモリ５４に蓄積された複数の画像について記録処理を行って、ＲＡＭ５０ａ内のバッファメモリ５４に空き領域を作成するように構成されている。そのため、記録処理（ステップＳ４１２）は、撮影動作の連続性という観点からみれば、連続的な撮影動作の繰り返しの途中で撮影待機状態を発生させる要因となっている。またプリント設定処理（ステップＳ４１６）は、この撮影待機状態において、記録処理と並行して、撮影待機状態が発生するまでにＲＡＭ５０ａ内のバッファメモリ５４に蓄積された複数の画像にプリント設定を行うようになっている。
【００８４】
そしてシャッタボタン９の全押し状態が解除され、かつ記録処理が終了すると、図１４のステップＳ４２０に進む。ステップＳ４２０では、アフタービュー設定が設定されているか否かが判断される。
【００８５】
アフタービュー設定が行われていない場合には、ステップＳ４２６に進み、連写撮影によってメモリカード９０に記録された全ての画像に対して自動的にプリント設定を行う。ただし、連写撮影の途中で、プリント設定処理（ステップＳ４１６）が実行され、既にプリント設定が行われている画像に対しては、ステップＳ４２６でのプリント設定処理を省略してもよい。
【００８６】
一方、アフタービュー設定が行われている場合には、ステップＳ４２２に進み、ＬＣＤ５にアフタービュー表示が行われる。図１６は連写撮影モードにおけるアフタービュー表示の一例を示す図である。図１６に示すように、アフタービュー表示では、ＬＣＤ５に対して、連写撮影によって取得された全ての撮影画像が配列して表示される。なお、図１６の例では連写撮影によって６コマの撮影画像が取得された場合を例示している。一般に、連写撮影では、似たような画像が複数フレーム取得される一方、ユーザがプリントを希望する画像はそれら複数フレームの画像のうちの１フレームである場合がある。ステップＳ４２２のアフタービュー表示は、そのような場合に、ユーザにプリント指定を行わせるための画像表示である。そのため、ステップＳ４２２のアフタービュー表示では、プリント設定すべき画像の選択操作が行われることになる。具体的には、ボタン群７を操作することによって選択画像を示す太枠表示を任意の画像に移動させ、記録すべき画像に太枠が付されている状態で、選択機能が割り当てられた液晶モニタボタン８ｂを押下することで選択操作が行われる。なお、アフタービュー表示によってプリント指定が行われる画像の数は、１フレームに限定されるものではなく、複数フレームの画像であっても構わない。
【００８７】
アフタービュー表示で選択操作が行われると、全体制御部５０はメモリカード９０に記録された画像のうちから、指定された画像を特定し、その画像に対するプリント設定を行う（ステップＳ４２４）。またこのとき、ステップＳ４１６のプリント設定処理で既に他の画像に対してプリント設定が行われていた場合には、それらの画像を特定して、既に定義されているプリント設定を無効にする。そしてメモリカード９０に対するプリント注文ファイル作成処理を実行する（ステップＳ４２８）。なお、ステップＳ４２８におけるプリント注文ファイル作成処理の詳細は、図８のフローチャートと同様である。
【００８８】
図１４のプリント注文ファイル作成処理（ステップＳ４２８）が終了した後は、再び図１３のステップＳ４００に戻り、次の連写撮影に備えるためのライブビュー表示が再開される。
【００８９】
以上のような処理により、連写撮影モードＧＮ５では、シャッタボタン９が全押しされている間、撮影動作が連続的に繰り返し実行される。そしてシャッタボタン９の全押し状態が解除されるまでに、ＲＡＭ５０ａの残り記憶容量が不足する事態が生じなかった場合には、連続的な撮影動作の全てが終了した後に、連写撮影によって取得された画像に対するプリント設定を行うようになっている。そのため、１コマの撮影動作が行われる都度、プリント注文ファイルＰｆが更新されることはないので、一定時間ごとに撮影動作を繰り返すことができ、ユーザが所望する連写撮影を実現することができる。また、連写撮影の終了後に、自動的にプリント注文ファイルＰｆがメモリカード９０に記録されるので、撮影後、デジタルカメラ１をプリントモードに移行させてプリント設定を手動操作で行う必要がなく、操作性の高いデジタルカメラ１が実現される。
【００９０】
また、シャッタボタン９の全押し状態が解除されるまでに、ＲＡＭ５０ａの残り記憶容量が不足する事態が生じた場合には、その時点までにＲＡＭ５０ａに蓄積された複数の画像をメモリカード９０に記録することによって、ＲＡＭ５０ａに空き領域を作成し、連写撮影を継続するようになっている。この記録処理は連写撮影時に一時的な撮影待機状態を生じさせることになり、プリント設定はその撮影待機状態で記録処理と並列的に実行され、複数の画像ごとにプリント設定を行うようになっている。つまり、プリント設定処理は、ＲＡＭ５０ａに空き領域を作成するための処理時間を利用して、複数の画像ごとに行われるので、連写撮影のための個々の撮影動作に影響を与えるなく、自動的にプリント設定を行うことができるようになっている。
【００９１】
以上のように、本実施形態におけるデジタルカメラ１は、ブラケット撮影モードＧＮ３及び画像合成処理モードＧＮ４のいずれにおいても、撮影指示に応答して、連続的に撮影動作が繰り返し行われるようになっており、連続的な複数回の撮影動作が終了した後に、プリント設定が行われる。また、連写撮影モードＧＮ５においても、ＲＡＭ５０ａの残り容量が不足しない限り、繰り返し行われる連続的な撮影動作の終了後に、プリント設定が行われる。そのため、デジタルカメラ１において、撮影動作に連動して自動的にプリント設定が行われる場合、連続的に撮影動作が繰り返されるとしてもプリント設定処理が個々の撮影動作の撮影タイミングに影響を与えることはない。
【００９２】
また、連写撮影モードＧＮ５において、連写撮影のための撮影動作の継続中に、一時的な撮影待機状態が発生する場合、その撮影待機状態において複数の画像ごとにプリント設定が行われる。そのため、プリント設定処理が個々の撮影動作に影響を与えることはない。
【００９３】
したがって、連続的に撮影動作を繰り返す場合、１コマごとの煩雑なプリント設定操作を解消し、かつ、撮影タイミングに影響を与えることなく良好にプリント注文ファイルを自動作成することのできるデジタルカメラ１が実現される。
【００９４】
＜変形例＞
以上、本発明の一実施形態について説明したが、本発明は上記の内容に限定されるものではない。
【００９５】
例えば、デジタルカメラ１が、プリントモード時において手動操作で画像ごとにプリント指定を行うことができる構成である場合を例示したが、そのような手動操作を行うための機能を有していなくてもよい。
【００９６】
また、図４に示した動作モードの遷移態様は単なる一例であり、図４以外の遷移態様によって各モード間を遷移するようにしてもよい。
【図面の簡単な説明】
【００９７】
【図１】デジタルカメラを正面側からみた外観構成を示す斜視図である。
【図２】デジタルカメラを背面側からみた外観構成を示す斜視図である。
【図３】デジタルカメラの内部機能を示すブロック図である。
【図４】撮影モード時におけるデジタルカメラの状態遷移の一例を示す図である。
【図５】メモリカードにおけるデータ格納状態の一例を示す図である。
【図６】プリント注文ファイルに記録される情報の一例を示す図である。
【図７】撮影動作に連動して自動プリント設定を行うための処理手順を示すフローチャートである。
【図８】撮影動作に連動して自動プリント設定を行うための処理手順を示すフローチャートである。
【図９】撮影動作に連動して自動プリント設定を行うための処理手順を示すフローチャートである。
【図１０】撮影動作に連動して自動プリント設定を行うための処理手順を示すフローチャートである。
【図１１】撮影動作に連動して自動プリント設定を行うための処理手順を示すフローチャートである。
【図１２】撮影動作に連動して自動プリント設定を行うための処理手順を示すフローチャートである。
【図１３】撮影動作に連動して自動プリント設定を行うための処理手順を示すフローチャートである。
【図１４】撮影動作に連動して自動プリント設定を行うための処理手順を示すフローチャートである。
【図１５】ブラケット撮影モードにおけるアフタービュー表示の一例を示す図である。
【図１６】連写撮影モードにおけるアフタービュー表示の一例を示す図である。
【符号の説明】
【００９８】
１  デジタルカメラ（撮像装置）
５  ＬＣＤ（表示手段）
５０  全体制御部
５１  画像処理部（合成手段）
５３  撮影制御部（制御手段）
５５  プリント設定処理部（プリント設定手段）
９０  メモリカード（記録媒体）
【図１】
2005204258.tif 000003
【図２】
2005204258.tif 000004
【図３】
2005204258.tif 000005
【図４】
2005204258.tif 000006
【図５】
2005204258.tif 000007
【図６】
2005204258.tif 000008
【図７】
2005204258.tif 000009
【図８】
2005204258.tif 000010
【図９】
2005204258.tif 000011
【図１０】
2005204258.tif 000012
【図１１】
2005204258.tif 000013
【図１２】
2005204258.tif 000014
【図１３】
2005204258.tif 000015
【図１４】
2005204258.tif 000016
【図１５】
2005204258.tif 000017
【図１６】
2005204258.tif 000018